(57)【要約】      （修正有） 【課題】カメラに対して簡単に着脱することができ、かつカメラの主要面を覆うことでカメラ全体を衝撃力から保護できるカメラガードの提供。【解決手段】撮影用レンズと撮影時に露出が必要となる機能部とを配設したカメラ前面と、シャッターを配設したカメラ上面と、カメラ左右面と、カメラ底面と、カメラ裏面とを有する箱型カメラに用いられるカメラガードであって、撮影用レンズと機能部とを露出させる第１開口部４を有するとともにカメラ前面を覆う前面保護部材３と、シャッターを露出させる第２開口部７を有するとともにカメラ上面を覆う上面保護部材５と、カメラ底面を覆う底面保護部材６と、箱型カメラの角部を覆う角部保護部材とを所定材料から一体成形する。【選択図】図２
2005234353.tif 000002
【特許請求の範囲】
【請求項１】
撮影用レンズと撮影時に露出が必要となる機能部とを配設したカメラ前面と、シャッターを配設したカメラ上面と、カメラ左右面と、カメラ底面と、カメラ裏面とを有する箱型カメラに用いられるカメラガードであって、
前記撮影用レンズと前記機能部とを露出させる第１開口部を有するとともに、前記カメラ前面を覆う前面保護部材と、
前記シャッターを露出させる第２開口部を有するとともに、前記カメラ上面を覆う上面保護部材と、
前記カメラ底面を覆う底面保護部材と、
前記箱型カメラの角部を覆うとともに係止部を形成した角部保護部材と、を前記カメラ上面と前記カメラ底面に対する密着状態から拡張された後に元に復元する弾性力を備える弾性材料から一体成形することを特徴とするカメラガード。
【請求項２】
前記第２開口部は、前記カメラ前面から前記カメラ裏面に向けて切り欠かれた凹部として形成されることを特徴とする請求項１に記載のカメラガード。
【請求項３】
前記弾性材料は、所望の色に着色可能かつ衝撃吸収が可能な射出成形用樹脂であることを特徴とする請求項１または２に記載のカメラガード。
【請求項４】
撮影用レンズと撮影時に露出される機能部とを配設したカメラ前面と、シャッターを配設したカメラ上面と、カメラ左右面と、カメラ底面と、液晶表示部を配設したカメラ裏面とを有する箱型カメラに用いられるカメラガードであって、
前記撮影用レンズと前記機能部とを露出させる第１開口部を有するとともに、前記カメラ前面を覆う前面保護部材と、
前記シャッターを露出させる凹部を有するとともに、前記カメラ上面を覆う上面保護部材と、
前記カメラ底面を覆う底面保護部材と、
前記箱型カメラの角部を覆う角部保護部材と、
をカメラの厚み寸法の半分以下の厚みを有するように所定材料から一体成形した第１カメラガードと、
前記液晶表示部を露出させる第２開口部を有するとともに、前記カメラ裏面を覆う裏面保護部材と、
前記シャッターを露出させる凹部を有するとともに、前記カメラ上面を覆う上面保護部材と、
前記カメラ底面を覆う底面保護部材と、
前記箱型カメラの角部を覆う角部保護部材と、
をカメラの厚み寸法の半分以下の厚みを有するように所定材料から一体成形した第２カメラガードとを備えることを特徴とするカメラガード。
【請求項５】
前記前面保護部材に、カメラ前面に粘着する粘着層を敷設し、前記裏面保護部材に、カメラ裏面に粘着させるための粘着層を敷設することを特徴とする請求項４に記載のカメラガード。
【請求項６】
前記所定材料は、衝撃吸収可能な肉厚を有するエラストマー、ゴム材料であることを特徴とする請求項４に記載のカメラガード。
【請求項７】
カメラ裏面に配設された操作部の操作を容易にするために、前記第２開口部を含む内側縁部が面取りされていることを特徴とする請求項４乃至６のいずれか１項に記載のカメラガード。
【請求項８】
カメラ防水ケース内にセットして使用するために、前記第１カメラガードと前記第２カメラガードは、前記カメラ防水ケースの収容部の内側寸法からクリアランス分を引いた外形寸法を有することを特徴とする請求項６または７に記載のカメラガード。
【発明の詳細な説明】
【技術分野】
【０００１】
本発明は、カメラに使用されるカメラガードに関するものである。
【背景技術】
【０００２】
カメラを落下または壁面などにぶつけることで破損してしまう事故からカメラを保護するためには、カメラケースの中にカメラを収納し、撮影するときにカメラケースからカメラを取り出し、使用後に再びカメラケースに収納すると良いことが知られている。
【０００３】
また、レザー製などのソフトカメラケースの場合には、カメラ本体側のカメラ下面の固定用ねじ穴に螺合される固定用ねじを用いてカメラケースを固定し、ファインダー覗き穴を設けた本体ケースによりカメラ本体側を覆う状態にしておき、撮影用レンズを有するカメラ前面を覆うレンズケース部分のケースカバーのみを外して撮影可能にすることで、使用者がカメラ全体を取り出す面倒な操作を解消している。
【０００４】
一方、上記のようなカメラケースの着脱操作は面倒であることから、特にアウトドアでの使用時におけるカメラの落下事故などからカメラを保護するためのカメラガードが提案されている。このカメラガードによれば、撮影の度にカメラを取り外す操作をなくすために、カメラ本体の外面の所定箇所にカメラガードの着脱自在の基台を固定し、この基台において線材から形成されカメラ全体を保護する保護フレームを固定することで、撮影時に撮影レンズ他の撮影に必要となる機能部分を露出ようにして、撮影操作の邪魔にならないように構成されている（特許文献１）。
【特許文献１】特開平０９−２１１７１８号公報。
【発明の開示】
【発明が解決しようとする課題】
【０００５】
しかしながら、上記公報によれば、カメラを誤って落下させたときなどの衝撃吸収を行う部材は線材であって、主としてカメラの角部を保護するためのものである。このため、カメラの主要な外周面の保護を行うことができない。また、いかにも無骨な印象を与えることでアウトドアユースを強調するデザイン的効果を図ったものであるので、このカメラガードをカメラに取り付けるためには、カメラガードの基台をカメラ固定ネジ穴に固定するなどする必要があるので、その装着作業は面倒となるものであった。
【０００６】
したがって、本発明は上記の問題点に鑑みて成されたものであり、カメラに対して着せ替え感覚で簡単に装着することができ、かつまたカメラの主要面を覆うことで角部を含むカメラ全体を落下時における衝撃力から保護することのできるカメラガードの提供を目的としている。また、この目的に加えて、装着後に全く異なるカメラであるかのような印象を与えることのできるカメラガードの提供を目的としている。
【課題を解決するための手段】
【０００７】
上述した課題を解決し、目的を達成するために、本発明によれば、撮影用レンズと撮影時に露出が必要となる機能部とを配設したカメラ前面と、シャッターを配設したカメラ上面と、カメラ左右面と、カメラ底面と、カメラ裏面とを有する箱型カメラに用いられるカメラガードであって、前記撮影用レンズと前記機能部とを露出させる第１開口部を有するとともに、前記カメラ前面を覆う前面保護部材と、前記シャッターを露出させる第２開口部を有するとともに、前記カメラ上面を覆う上面保護部材と、前記カメラ底面を覆う底面保護部材と、前記箱型カメラの角部を覆うとともに係止部を形成した角部保護部材と、を前記カメラ上面と前記カメラ底面に対する密着状態から拡張された後に元に復元する弾性力を備える弾性材料から一体成形することを特徴としている。
【０００８】
また、前記第２開口部は、前記カメラ前面から前記カメラ裏面に向けて切り欠かれた凹部として形成されることを特徴としている。
【０００９】
また、前記弾性材料は、所望の色に着色可能かつ衝撃吸収が可能な射出成形用樹脂であることを特徴としている。
【００１０】
また、撮影用レンズと撮影時に露出される機能部とを配設したカメラ前面と、シャッターを配設したカメラ上面と、カメラ左右面と、カメラ底面と、液晶表示部を配設したカメラ裏面とを有する箱型カメラに用いられるカメラガードであって、前記撮影用レンズと前記機能部とを露出させる第１開口部を有するとともに、前記カメラ前面を覆う前面保護部材と、前記シャッターを露出させる凹部を有するとともに、前記カメラ上面を覆う上面保護部材と、前記カメラ底面を覆う底面保護部材と、前記箱型カメラの角部を覆う角部保護部材と、をカメラの厚み寸法の半分以下の厚みを有するように所定材料から一体成形した第１カメラガードと、前記液晶表示部を露出させる第２開口部を有するとともに、前記カメラ裏面を覆う裏面保護部材と、前記シャッターを露出させる凹部を有するとともに、前記カメラ上面を覆う上面保護部材と、前記カメラ底面を覆う底面保護部材と、前記箱型カメラの角部を覆う角部保護部材と、をカメラの厚み寸法の半分以下の厚みを有するように所定材料から一体成形した第２カメラガードとを備えることを特徴としている。
【００１１】
また、前記前面保護部材に、カメラ前面に粘着する粘着層を敷設し、前記裏面保護部材に、カメラ裏面に粘着させるための粘着層を敷設することを特徴としている。
【００１２】
また、前記所定材料は、衝撃吸収可能な肉厚を有するエラストマー、ゴム材料であることを特徴としている。
【００１３】
また、カメラ裏面に配設された操作部の操作を容易にするために、前記第２開口部を含む内側縁部が面取りされていることを特徴としている。
【００１４】
そして、カメラ防水ケース内にセットして使用するために、前記第１カメラガードと前記第２カメラガードは、前記カメラ防水ケースの収容部の内側寸法からクリアランス分を引いた外形寸法を有することを特徴としている。
【発明の効果】
【００１５】
本発明によれば、カメラに対して簡単に着脱することができ、かつカメラの主要面を覆うことでカメラ全体を衝撃力から保護できるカメラガードを提供することができる。加えて、装着後に全く異なるカメラであるかのような印象を与えることができるカメラガードを提供できる。
【発明を実施するための最良の形態】
【００１６】
以下に本発明の好適な一実施形態について、添付図面を参照して説明する。
【００１７】
ここで、以下に述べる実施形態ではカメラとして撮影用レンズを有するカメラ前面と液晶を配置したカメラ後面と、シャッターを配置したカメラ上面とを備えており、望ましくは撮影レンズが３倍光学ズームの場合には沈胴するタイプ、または固定焦点レンズを備えた小型偏平の箱型のデジタルカメラに使用されるカメラガードについて主に述べることにするが、このように構成されるデジタルカメラのみに限定されず銀塩フィルムカメラにも適用可能であることは言うまでもない。
【００１８】
先ず、図１(ａ)は、デジタルカメラ２をカメラ前面側から見た外観斜視図であり、(ｂ)はデジタルカメラ２をカメラ後面側から見た図である。本図において、このデジタルカメラ２は沈胴式または固定焦点の撮影用レンズ６０を有するカメラ前面２ａと、裏面側において図示のような液晶表示部４０を備えたカメラ後面２ｂと、シャッター５０を設けたカメラ上面２ｃと、カメラ側面２ｅ、２ｆとを設けた偏平箱状に形成されている。このために例えば衣類の胸ポケットに入れることができるので、携帯性が大幅に改善される。
【００１９】
また、図１(ｂ)において、このデジタルカメラ２は、カメラ下面２ｄに固定用ねじ穴２ｋを設けており、例えば三脚に固定するために螺合される固定用ねじにより固定可能なようにしている。
【００２０】
一方、図１(ａ)において、撮影用レンズ６０の上方のカメラ前面２ａには機能部となるファイダー窓６２とストロボ６１と露出計のレンズなどが配置されている。このように構成されるデジタルカメラ２を使用して室内で撮影する場合において、室内照明器具などによる光量が依然として不足するとファイダー内に露出アンダーの表示がされ、シャッター５０の押圧動作と同期してストロボ６１が自動発光して、被写体全体の照明を行うように構成されている。このストロボの発光が不要なときには、発光を解除する機能も備えている。いずれにせよ、上記の機能部は、撮影時には露出する状態にする必要がある。
【００２１】
また、図１(ａ)においてカメラ前面２ａとカメラ左右面２ｅ、２ｆとの間は略９０度の角度をなす面とされるとともに、図示のように半径３ｍｍ前後のアール面から形成される角部２ｅａ、２ｆａが連続形成されている。また、カメラ上面２ｃとカメラ左右面２ｅ、２ｆとの間も略９０度の角度をなす面となるとともに、図示のようにアール面から形成される角部２ｃｅ、２ｃｆが連続形成されている。同様に、カメラ底面２ｄとカメラ左右面２ｅ、２ｆとの間も略９０度の角度の面をなすとともに、図示のようにアール面から形成される角部２ｅｄ、２ｆｄが連続形成されている。
【００２２】
そして、図１(ｂ)において、カメラ裏面２ｂとカメラ左右面２ｅ、２ｆとの間は略９０度の角度の面をなすとともに、図示のようにアール面から形成される角部２ｅｂ、２ｆｂが連続形成されている。そして、カメラ裏面２ｂとカメラ上面２ｃとカメラ底面２ｄの間も略９０度の角度をなすとともに、図示のようにアール面から形成される角部２ｂｃ、２ｂｄが連続形成されている。
【００２３】
以上のように、デジタルカメラ２の全ての角部をアール面から形成することで、ユーザが把持したときに手に優しい触感を提供している。また、これらの角部はカメラを誤って落下したときに最初にぶつかる部位となるのでアール面とすることで、一部分に衝撃力が集中せずに多少の衝撃力を吸収できる金属ケース体の一部として構成されている。
【００２４】
また、デジタルカメラ２の全ての角部が交わる頂点は球面体の一部を形成することで多少の衝撃力についてはこれを吸収できるように構成されている。
【００２５】
このように、デジタルカメラ２の全ての角部をアール面とし、頂点を４分の一球面とすることで、日常使用上における多少の衝撃力は吸収できるように構成されており、例えば１ｍ落下における床面上への耐衝撃性を満足できるようにしている。
【００２６】
しかしながら、カメラ落下時には、思わぬ衝撃力がさらに加わることが多く、特にデジタルカメラ２の全ての角部と頂点に損傷を与えることが多い。このことから、以下に述べるカメラガードを装着することで耐衝撃性をより向上できるようになる。
【００２７】
図２は、図１に示すデジタルカメラ２に装着される本発明の好適な一実施形態であるカメラガード１の外観斜視図である。
【００２８】
本図において、このカメラガード１は、上記の撮影用レンズ６０と撮影時に露出が必要となる機能部であるファインダーとストロボを露出させる第１開口部４を有するとともに、カメラ前面２ａの残りの部分を覆う前面保護部材３と、シャッター５０を露出させる第２開口部７を有するとともに、カメラ上面２ｃを覆う上面保護部材５と、カメラ底面２ｄを覆う底面保護部材６とが弾力性を有する樹脂材料または合成ゴム材料から図示のように一体成形されている。
【００２９】
また、このカメラガード１には、箱型カメラの角部を覆うとともに係止部１２ａ、１３ａ、１４ａ、１５ａを形成した角部保護部材１２、１３、１４、１５が図示のように一体形成されるとともに、角部保護部材１１、１１１がさらに一体形成されている。
【００３０】
図３(ａ)は、図２の裏側から見た正面図であり、図３(ｂ)は図３(ａ)の平面図である。図２に図３をさらに参照して、既に説明済みの構成部品については同様の符号を附して説明を割愛すると、第２開口部７は、カメラガードをカメラに装着後に、カメラ前面からカメラ裏面に向けて切り欠かれた凹部として形成されている。また、カメラ前面２ａの機能部の残りの部分を覆う前面保護部材３の上下左右部分には長孔２０、２０、２０が穿設されている。
【００３１】
これらの長孔２０は、デザイン上のアクセントのほかに、後述するようにカメラガードをカメラ上面とカメラ底面に対する密着状態にするために、拡張される際に過剰な抗力を発生しないようにしている。すなわち、材料自体の有する元に復元する弾性力の曲げ力の調整を可能にしている。
【００３２】
また、この弾性材料は、所望の色に着色可能であるので、着せ替え感覚で着脱できることになる。また、衝撃吸収が可能なように発泡ウレタン樹脂、エラストマー樹脂、ＡＢＳ樹脂を含むエンジニアリングプラスチックなどの射出成形用樹脂から、厚みが５ｍｍ前後になるように一体成形することで、安定して安価に製造される。また、透明樹脂からも作ることもできる。
【００３３】
さらに、図４(ａ)は、図２のカメラガードの正面図であり、図４(ｂ)は図４(ａ)の底面図である。図２に図４をさらに参照して、既に説明済みの構成部品については同様の符号を附して説明を割愛すると、角部保護部材１２、１３、１４、１５から連続形成される係止部１２ａ、１３ａ、１４ａ、１５ａは、カメラ裏面の上下の端部の一部に係止する形状に形成されている。また、カメラ底面２ｄを覆う底面保護部材６において、破線図示の貫通孔１０をさらに穿設することでカメラガードを装着した状態で三脚の固定を可能にしても良い。
【００３４】
図５(ａ)は、カメラガードをデジタルカメラ２に装着する前の様子を示した横断面図である。また、図５(ｂ)は、カメラガード１が元の状態に復帰する様子を示した横断面図である。図５(ａ)において、デジタルカメラ２に装着するためには、上面保護部材５と、底面保護部材６とを持ち、矢印方向に拡張する。その後に、デジタルカメラ２に装着してから、手を離すと樹脂材料または合成ゴム材料の有する弾性力で図５(ｂ)に図示されるように上面保護部材５と、底面保護部材６とが元の位置に戻り、係止部１２ａ、１３ａ、１４ａ、１５ａがカメラ裏面２ｂの上下の端部の一部に係止することで脱落防止ができる状態となり、装着が終了する。また、取り外すときは、上記と逆の手順で行うことで簡単に外すことができる。
【００３５】
以上のように、カメラに対してカメラガードを所謂着せ替え感覚で簡単に装着することができるとともに、角部と頂点部分とカメラの主要面を覆うことでカメラ全体を落下時における衝撃力から保護することのできる。
【００３６】
また、夫々異なる色または透明のカメラガード１を多数準備しておけば、使用目的に応じて楽しく着せ替えすることができるので、同じカメラを全く異なるカメラのようにして使用することもできる。
【００３７】
特に、各カメラ部分の名称または基本的な操作手順を各保護部材の裏側から印刷した透明樹脂またはエラストマー樹脂製のカメラガードを、デジタルカメラの販売のさいに使用説明書とともに同梱しておけば、初心者は非常に便利に使用することができるようになるので、カメラメーカー側の誠意を伝えることに役立つこととなる。
【００３８】
以上は、カメラ前面から着脱されるカメラガード１について述べたが、近年になり厚さ寸法のより小さなデジタルカメラが実用化されているので、この種のカメラに使用されるカメラガードについて以下に述べる。
【００３９】
図６は、本発明の好適な別実施形態であって薄いデジタルカメラ２に装着されるカメラガード１、１０１の着脱の様子を示した外観斜視図である。
【００４０】
本図において、既に説明済みの構成部品については同様の符号を附して説明を割愛するとともに、上記のカメラガード１は第１カメラガード１と呼ぶ。先ず、デジタルカメラ２は、図示のように右角部分に撮影用レンズ６０を設けることでデザイン的に特徴的な外観を呈している。また、この撮影用レンズ６０と撮影時に露出される機能部であるファインダー窓６２とストロボ６１が横方向に配置されたカメラ前面２ａを形成している。
【００４１】
また、シャッター５０を配設したカメラ上面２ｃの厚さ寸法Ｔは、そのままでは自立できない程の１ｃｍ以下であるが、胸ポケットなどに入れたときに嵩張らない設計となっている。このデジタルカメラ２のカメラ前面２ａに被せられる第１カメラガード１の前面保護部材３には、撮影用レンズ６０のレンズ部分が露出されるとともに周囲を覆うようにした第１開口部４と、露出が必要な機能部となる第１開口部４とが図示のように分離形成されている。
【００４２】
また、上面保護部材５には、カメラ上面を覆ったときにシャッター５０の半分を露出させる凹部７が図示のように一体形成されている。そしてカメラ底面を覆う破線図示の底面保護部材６とがカメラの角部を覆う角部保護部材１１、１１１と図示のように一体形成されている。また、これらの厚み寸法ｔはカメラ２の厚み寸法Ｔの半分以下となるように所定樹脂材料から一体射出成形されている。
【００４３】
次に、図７(ａ)は、図６に示した薄いデジタルカメラ２にカメラガード１、１０１を装着した後の様子を示した外観斜視図である。図６に図７をさらに参照して、デジタルカメラ２のカメラ裏面上には液晶表示部４０と、操作部４１、４２が配設されており、第２カメラガード１０１を装着した後に、これらを露出させる必要がある。このため概ね上記のカメラガード１と線対称にカメラガード１０１が形成される一方で、第２開口部４００をカメラ裏面２ｂを覆う裏面保護部材３００に形成している。
【００４４】
また、シャッター５０を略半分露出させる凹部７がカメラ上面を覆う上面保護部材５に形成されるとともに、カメラ底面２ｄを略半分覆う底面保護部材６と、カメラの角部を覆う角部保護部材１１、１１１とが、カメラの厚み寸法Ｔの半分以下の厚みｔを有するように樹脂材料から射出一体成形されている。このように第２カメラガード１０１を、例えばシリコーンエラストマー樹脂から射出成形することで素材自体の有する粘着力でカメラに粘着して保持することができる。
【００４５】
また、第１、第２カメラガードを一般樹脂材料のエンジニアリングプラスチックを使用して形成する場合には、図７で破線で示した粘着層４３を数箇所、適宜設けることでカメラに粘着することができる。この粘着層として水洗により粘着力が復帰する特殊粘着層を用いると繰り返し使用できることとなる。
【００４６】
また、図７(ａ)のＸ-Ｘ線矢視断面図である(ｂ)において、カメラ裏面に配設された操作部４１、４２の操作を容易にするために、第２開口部４００を含む内側縁部が４５度前後の角度で面取りされている。このため、衝撃吸収可能な肉厚を有するエラストマー、ゴム材料から肉厚に形成した場合でも各操作部の操作を支障なく行えるようになる。
【００４７】
最後に、図８は、第１カメラガードと第２カメラガードをデジタルカメラ２（破線図示）に装着後に、カメラ防水ケース５００内にセットして使用する様子を示した正面図である。本図においてカメラ防水ケース５００は開閉可能かつ液密状態にするための蓋体を設けており、破線図示の収容部５１０の内側寸法として、幅寸法Ｗと高さ寸法Ｈと不図示の奥行き寸法を有している。一方、上記の第１カメラガード１と第２カメラガード１０１をデジタルカメラ２にセットした後には、外形寸法として、幅寸法ｗと高さ寸法ｈと不図示の奥行き寸法を有している。そして、各寸法差としてデジタルカメラを矢印方向に挿入するときに支障とならないクリアランス分が確保されている。
【００４８】
以上のように構成されたカメラ防水ケース５００とともに第１カメラガード１と第２カメラガード１０１を装着したデジタルカメラ２を使用することで、ガタツキを防止できるとともに耐衝撃性がさらに高まることになる。
【図面の簡単な説明】
【００４９】
【図１】(ａ)はデジタルカメラ２をカメラ前面側から見た外観斜視図、(ｂ)はデジタルカメラ２をカメラ後面側から見た外観斜視図である。
【図２】図１に示すデジタルカメラ２に装着される本発明の好適な一実施形態であるカメラガード１の外観斜視図である。
【図３】(ａ)は図２の裏側から見た正面図、(ｂ)は(ａ)の平面図である。
【図４】(ａ)は図２のカメラガードの正面図、(ｂ)は(ａ)の底面図である。
【図５】(ａ)はカメラガードをデジタルカメラ２に装着する前の様子を示した横断面図、(ｂ)はカメラガード１が元の状態に復帰する様子を示した横断面図である。
【図６】本発明の好適な別実施形態であって薄いデジタルカメラ２に装着されるカメラガード１、１０１の着脱の様子を示した外観斜視図である。
【図７】(ａ)は図６に示した薄いデジタルカメラ２にカメラガード１、１０１を装着した後の様子を示した外観斜視図、(ｂ)は、(ａ)のＸ-Ｘ線矢視断面図である。
【図８】第１カメラガードと第２カメラガードをデジタルカメラ２（破線図示）に装着後に、カメラ防水ケース５００内にセットして使用する様子を示した正面図である。
【符号の説明】
【００５０】
１  カメラガード（第１カメラガード）
２  デジタルカメラ
３  前面保護部材
４  第１開口部
５  上面保護部材
６  底面保護部材
７  第２開口部
１０１  第２カメラガード
【図１】
2005234353.tif 000003
【図２】
2005234353.tif 000004
【図３】
2005234353.tif 000005
【図４】
2005234353.tif 000006
【図５】
2005234353.tif 000007
【図６】
2005234353.tif 000008
【図７】
2005234353.tif 000009
【図８】
2005234353.tif 000010